(57)【要約】【課題】電子機器において、電源供給が瞬間的に断たれたときの動作の安定化を図る。【解決手段】電子機器１は、昇圧回路２と、スイッチング電源回路９と、メインＩＣ３と、リセット回路４とを備える。リセット回路４は、電源停止回路４１と、リセット信号出力回路４２とを有する。電源停止回路４１は、昇圧回路２に入力される電圧が所定値以上であるか否かを検出し、昇圧回路２に入力される電圧が所定値未満になると、スイッチング電源回路９による電圧の生成を停止させる。リセット信号出力回路４２は、スイッチング電源回路９による電圧の生成が停止すると、リセットライン４ａからリセット信号を出力する。すなわち、リセット回路４は、昇圧回路２に入力される電圧が所定値未満になったことを検出して、メインＩＣ３をリセットさせる。従来の昇圧回路内のコントロールＩＣの減電検出機能を使用せずに、メインＩＣ３をリセットすることができる。【選択図】図２
2014155240.tif 000002
【特許請求の範囲】
【請求項１】
入力された電圧を昇圧する昇圧回路と、
本機器の動作を制御する制御回路と、
前記昇圧回路に入力される電圧が所定値未満になると、前記制御回路をリセットさせるリセット回路と、
を備える電子機器。
【請求項２】
前記昇圧回路により昇圧された電圧から別の電圧値の電圧を生成する電源回路をさらに備え、
前記リセット回路は、
前記昇圧回路に入力される電圧が所定値未満になると、前記電源回路による電圧の生成を停止させる電源停止回路と、
前記電源回路による電圧の生成が停止すると、前記制御回路をリセットさせるためのリセット信号を出力するリセット信号出力回路とを有する、
ことを特徴とする請求項１に記載の電子機器。
【請求項３】
前記電源回路は、スイッチング素子がスイッチングすることにより、前記昇圧回路により昇圧された電圧がトランスに入力される状態と入力されない状態とに切換えられて、電圧を生成するスイッチング電源回路であり、
前記電源停止回路は、前記昇圧回路に入力される電圧が所定値未満になると、前記電源回路のスイッチング素子のスイッチングを停止させることにより、前記電源回路による電圧の生成を停止させる、
ことを特徴とする請求項２に記載の電子機器。
【請求項４】
前記電源回路は、前記スイッチング素子を擬似共振回路によりスイッチングさせる、
ことを特徴とする請求項３に記載の電子機器。
【請求項５】
前記電源回路は、前記スイッチング素子を自励発振回路によりスイッチングさせる、
ことを特徴とする請求項３に記載の電子機器。
【請求項６】
前記リセット回路は、
前記昇圧回路に入力される電圧が所定値未満になると、前記制御回路をリセットさせるためのリセット信号を出力するリセット信号出力回路を有する、
ことを特徴とする請求項１に記載の電子機器。
【請求項７】
前記リセット信号出力回路は、前記制御回路をリセットさせるためのリセット信号をフォトカプラを用いて出力する、
ことを特徴とする請求項６に記載の電子機器。
【発明の詳細な説明】
【技術分野】
【０００１】
本発明は、制御回路を備える電子機器に関するものである。
【背景技術】
【０００２】
従来から、例えば液晶テレビ等の電子機器は、制御回路を備えており、制御回路による制御のもと、動作するようになっている。また、このような電子機器において、商用ＡＣ電源から交流電圧の供給を受けて動作するものがある。このような電子機器としては、図５に示す構成のものが知られている。
【０００３】
図５に示す電子機器８０は、ＡＣ入力プラグ８１と、ヒューズ８２と、ＡＣフィルタ回路８３と、整流回路８４と、昇圧回路８５と、スイッチング電源回路８６と、動作電圧生成回路８７と、メインＩＣ（制御回路）８８と、リセット回路８９等を備える。
【０００４】
電子機器８０は、ＡＣ入力プラグ８１が商用ＡＣ電源に接続されることにより、商用ＡＣ電源から電子機器８０に交流電圧が供給される。商用ＡＣ電源から電子機器８０に供給された交流電圧は、ＡＣライン８１ａ、８１ｂを経由して、ヒューズ８２及びＡＣフィルタ回路８３を介して、整流回路８４に入力される。整流回路８４は、入力された電圧を整流する。整流回路８４により整流された電圧は、昇圧回路８５の入力ライン８５ａから昇圧回路８５に入力される。
【０００５】
昇圧回路８５は、入力ライン８５ａから入力された電圧を昇圧して、その昇圧した電圧を出力ライン８５ｂから出力する。昇圧回路８５は、昇圧用のコイル、昇圧用のスイッチング素子、昇圧用のスイッチング素子のスイッチングを制御するコントロールＩＣ等を備えており、コントロールＩＣが昇圧用のスイッチング素子をスイッチングすることにより、昇圧用のコイルを利用して、入力ライン８５ａから入力された電圧を昇圧するようになっている。
【０００６】
昇圧回路８５内のコントロールＩＣは、入力ライン８５ａから電圧の入力が開始された直後の初期時においては、入力ライン８５ａから入力される電圧によって動作して、昇圧用のスイッチング素子のスイッチングを制御する。そして、昇圧回路８５内のコントロールＩＣは、その後においては、電源ポート８５ｃから入力される電圧によって動作して、昇圧用のスイッチング素子のスイッチングを制御する。電源ポート８５ｃには、スイッチング電源回路８６により生成された電圧が入力される。
【０００７】
すなわち、昇圧回路８５は、入力ライン８５ａから電圧の入力が開始された直後の初期時においては、入力ライン８５ａから入力される電圧によってコントロールＩＣが動作して、入力ライン８５ａから入力された電圧を昇圧する。そして、昇圧回路８５は、その後においては、電源ポート８５ｃから入力される電圧（スイッチング電源回路８６により生成された電圧）によってコントロールＩＣが動作して、入力ライン８５ａから入力された電圧を昇圧する。
【０００８】
スイッチング電源回路８６は、昇圧回路８５により昇圧された電圧から別の電圧値の電圧を生成する。スイッチング電源回路８６は、ＭＯＳＦＥＴ９１と、トランス９２と、擬似共振ＩＣ９３等を備えており、擬似共振ＩＣ９３がＭＯＳＦＥＴ９１をスイッチングさせることにより、トランス９２によって、昇圧回路８５により昇圧された電圧から別の電圧値の電圧を生成する。
【０００９】
動作電圧生成回路８７は、スイッチング電源回路８６により生成された電圧から、電子機器８０を動作させるための動作電圧を生成する。すなわち、動作電圧生成回路８７は、メインＩＣ８８、リセット回路８９、及び不図示の負荷（液晶ディスプレイやチューナ、表示用ＬＥＤ、リモコン受光部等）を動作させるための各電圧値の電圧を生成する。
【００１０】
メインＩＣ８８は、電源ポート８８ａから入力される電圧によって動作して、電子機器８０の動作を制御する。電源ポート８８ａには、動作電圧生成回路８７により生成された電圧が入力される。また、メインＩＣ８８は、リセットポート８８ｂにリセット信号が入力されると、リセットされる（リセット処理を実行する）。また、メインＩＣ８８は、リセットポート８８ｂにリセット解除信号が入力されると、リセット解除される（リセット解除処理を実行する）。リセットポート８８ｂには、リセット回路８９から出力された信号が入力される。
【００１１】
リセット回路８９は、スイッチング電源回路８６による電圧の生成が開始すると、リセットライン８９ａからリセット解除信号を出力し、スイッチング電源回路８６による電圧の生成が停止すると、リセットライン８９ａからリセット信号を出力する。従って、スイッチング電源回路８６による電圧の生成が停止すると、リセット回路８９からリセット信号が出力されて、メインＩＣ８８がリセットされる。また、スイッチング電源回路８６による電圧の生成が再開されると、リセット回路８９からリセット解除信号が出力されて、メインＩＣ８８がリセット解除される。
【００１２】
従来の電子機器８０の昇圧回路８５は、ＰＦＣ（Power Factor Correction：力率補正）機能を備えた昇圧回路であり、昇圧回路８５内のコントロールＩＣが昇圧用のスイッチング素子のスイッチングのタイミングを制御して、力率を補正（改善）するようになっている。
【００１３】
また、従来の電子機器８０の昇圧回路８５内のコントロールＩＣは、減電検出機能を備えている。すなわち、昇圧回路８５内のコントロールＩＣは、入力ライン８５ａから昇圧回路８５に入力される電圧が所定値以上であるか否かを検出し、昇圧回路８５に入力される電圧が所定値未満になると、昇圧用のスイッチング素子のスイッチングを停止させるようになっている。従って、入力ライン８５ａから昇圧回路８５に入力される電圧が所定値未満になると、昇圧回路８５による昇圧動作が停止し、入力ライン８５ａから昇圧回路８５に入力された電圧がそのまま出力ライン８５ｂから出力され、その結果、スイッチング電源回路８６による電圧の生成が停止する。
【００１４】
すなわち、従来の電子機器８０では、昇圧回路８５内のコントロールＩＣが昇圧回路８５に入力される電圧が所定値未満に低下したことを検出すると、スイッチング電源回路８６による電圧の生成が停止し、リセット回路８９からリセット信号が出力されて、メインＩＣ８８がリセットされるようになっている。つまり、従来の電子機器８０は、昇圧回路８５内のコントロールＩＣの減電検出機能を使用して、昇圧回路８５に入力される電圧が所定値未満に低下したときに、メインＩＣ８８をリセットさせるようになっている。
【００１５】
一方、トランスにより生成された電圧（２次側の電圧）に基いて減電検出を行うようにした電子機器が知られている（例えば特許文献１及び特許文献２参照）。また、力率改善回路であるＰＦＣの出力電圧が低下した場合に、絶縁型ＤＣ−ＤＣコンバータを停止させるようにした電子機器が知られている（例えば特許文献３参照）。
【先行技術文献】
【特許文献】
【００１６】
【特許文献１】特開２０１１−８５８５６号公報
【特許文献２】特開２０１０−６８６３１号公報
【特許文献３】特開２００１−３３３５７３号公報
【発明の概要】
【発明が解決しようとする課題】
【００１７】
ところが、上述した従来の電源回路８０においては、商用ＡＣ電源からの電源供給が瞬間的に断たれとき（昇圧回路８５に入力される電圧が、一瞬だけ所定値未満に低下して、所定値以上に復帰したとき）、昇圧回路８５内のコントロールＩＣの減電検出機能が一瞬だけ働いた影響により、昇圧回路８５の昇圧動作が不安定になり、昇圧回路８５の出力が乱れる場合があった。その結果、商用ＡＣ電源からの電源供給が瞬間的に断たれたときに、電子機器８０が誤動作したり正常に動作しなくなったり、電子機器８０の動作が不安定になることがあった。
【００１８】
本発明は、上記課題を解決するためになされたものであり、電源供給が瞬間的に断たれたときの動作の安定化を図ることができる電子機器を提供することを目的とする。
【課題を解決するための手段】
【００１９】
上記目的を達成するために本発明の電子機器は、入力された電圧を昇圧する昇圧回路と、本機器の動作を制御する制御回路と、昇圧回路に入力される電圧が所定値未満になると、制御回路をリセットさせるリセット回路と、を備える、ものである。
【００２０】
この構成によれば、昇圧回路に入力される電圧が所定値未満になると、リセット回路によって制御回路がリセットされる。
【００２１】
また、本発明の電子機器において、昇圧回路により昇圧された電圧から別の電圧値の電圧を生成する電源回路をさらに備え、リセット回路は、昇圧回路に入力される電圧が所定値未満になると、電源回路による電圧の生成を停止させる電源停止回路と、電源回路による電圧の生成が停止すると、制御回路をリセットさせるためのリセット信号を出力するリセット信号出力回路とを有する、ことが望ましい。
【００２２】
この構成によれば、昇圧回路に入力される電圧が所定値未満になると、電源停止回路によって、電源回路による電圧の生成が停止され、これにより、リセット信号出力回路からリセット信号が出力されて、制御回路がリセットされる。
【００２３】
また、本発明の電子機器において、電源回路は、スイッチング素子がスイッチングすることにより、昇圧回路により昇圧された電圧がトランスに入力される状態と入力されない状態とに切換えられて、電圧を生成するスイッチング電源回路であり、電源停止回路は、昇圧回路に入力される電圧が所定値未満になると、電源回路のスイッチング素子のスイッチングを停止させることにより、電源回路による電圧の生成を停止させる、ことが望ましい。
【００２４】
この構成によれば、昇圧回路に入力される電圧が所定値未満になると、電源停止回路によって、電源回路のスイッチング素子のスイッチングが停止されることにより、電源回路による電圧の生成が停止される。
【００２５】
また、本発明の電子機器において、電源回路は、スイッチング素子を擬似共振回路によりスイッチングさせる、ことが望ましい。
【００２６】
この構成によれば、電源回路がスイッチング素子を擬似共振回路によりスイッチングさせるものである構成において、昇圧回路に入力される電圧が所定値未満になると、電源停止回路によって、電源回路のスイッチング素子のスイッチングが停止されることにより、電源回路による電圧の生成が停止される。
【００２７】
また、本発明の電子機器において、電源回路は、スイッチング素子を自励発振回路によりスイッチングさせる、ことが望ましい。
【００２８】
この構成によれば、電源回路がスイッチング素子を自励発振回路によりスイッチングさせるものである構成において、昇圧回路に入力される電圧が所定値未満になると、電源停止回路によって、電源回路のスイッチング素子のスイッチングが停止されることにより、電源回路による電圧の生成が停止される。
【００２９】
また、本発明の電子機器において、リセット回路は、昇圧回路に入力される電圧が所定値未満になると、制御回路をリセットさせるためのリセット信号を出力するリセット信号出力回路を有する、ことが望ましい。
【００３０】
この構成によれば、昇圧回路に入力される電圧が所定値未満になると、リセット信号出力回路からリセット信号が出力されて、制御回路がリセットされる。
【００３１】
また、本発明の電子機器において、リセット信号出力回路は、制御回路をリセットさせるためのリセット信号をフォトカプラを用いて出力する、ことが望ましい。
【００３２】
この構成によれば、リセット信号出力回路からフォトカプラを用いてリセット信号が出力される。
【発明の効果】
【００３３】
本発明によれば、昇圧回路に入力される電圧が所定値未満になると、リセット回路によって制御回路がリセットされる。従って、従来の昇圧回路内のコントロールＩＣの減電検出機能を使用せずに、制御回路をリセットすることができる。これにより、従来の昇圧回路内のコントロールＩＣの減電検出機能を使用しなくて済み、電源供給が瞬間的に断たれたときに、従来の昇圧回路内のコントロールＩＣの減電検出機能が一瞬だけ働く影響による昇圧回路の出力の乱れを生じることがなく、電源供給が瞬間的に断たれたときの動作の安定化を図ることができる。
【図面の簡単な説明】
【００３４】
【図１】本発明の第１の実施形態に係る電子機器の概略構成を示す電気回路図。
【図２】本発明の第２の実施形態に係る電子機器の概略構成を示す電気回路図。
【図３】本発明の第３の実施形態に係る電子機器の概略構成を示す電気回路図。
【図４】本発明の第４の実施形態に係る電子機器の概略構成を示す電気回路図。
【図５】従来の電子機器の構成を示す電気回路図。
【発明を実施するための形態】
【００３５】
以下、本発明を具体化した実施形態による電子機器について図面を参照して説明する。
＜第１の実施形態＞
まず、第１の実施形態による電子機器について説明する。図１は、第１の実施形態による電子機器の構成を示す。電子機器１は、例えば液晶テレビ等の電子機器であり、昇圧回路２と、メインＩＣ（制御回路）３と、リセット回路４とを備える。
【００３６】
昇圧回路２は、入力ライン２ａから入力された電圧を昇圧して、その昇圧した電圧を出力ライン２ｂから出力する回路である。昇圧回路２は、いわゆるＤＣ／ＤＣコンバータであり、昇圧用のコイル、昇圧用のスイッチング素子、平滑用のコンデンサ、及び昇圧用のスイッチング素子のスイッチングを制御するコントロールＩＣ等を備える。
【００３７】
昇圧回路２は、コントロールＩＣが昇圧用のスイッチング素子を所定の周波数でスイッチングすることにより、入力ライン２ａから入力されて昇圧用のコイルに入力される電圧を昇圧用のコイルの自己誘導作用を利用して昇圧する。そして、昇圧回路２は、この昇圧した電圧を平滑用のコンデンサにより平滑化して、出力ライン２ｂから出力する。入力ライン２ａからは、例えば、商用ＡＣ電源から供給される交流電圧を整流した電圧や、電池から供給される電圧等が入力される。
【００３８】
昇圧回路２内のコントロールＩＣは、入力ライン２ａから電圧の入力が開始された直後の初期時においては、入力ライン２ａから入力される電圧によって動作して、昇圧用のスイッチング素子のスイッチングを制御する。そして、昇圧回路２内のコントロールＩＣは、その後においては、電源ポート２ｃから入力される電圧によって動作して、昇圧用のスイッチング素子のスイッチングを制御する。
【００３９】
すなわち、昇圧回路２は、入力ライン２ａから電圧の入力が開始された直後の初期時においては、入力ライン２ａから入力される電圧によってコントロールＩＣが動作して、入力ライン２ａから入力された電圧を昇圧する。そして、昇圧回路２は、その後においては、電源ポート２ｃから入力される電圧によってコントロールＩＣが動作して、入力ライン２ａから入力された電圧を昇圧する。電源ポート２ｃには、例えば、昇圧回路２により昇圧された電圧や、昇圧回路２により昇圧した電圧から生成した電圧等が入力される。
【００４０】
また、昇圧回路２は、ＰＦＣ（Power Factor Correction：力率補正）機能を備えた昇圧回路であり、昇圧用のスイッチング素子のスイッチングのタイミングを制御して、力率を補正（改善）するようになっている。なお、昇圧回路２内のコントロールＩＣは、従来における減電検出機能を備えていない。
【００４１】
メインＩＣ３は、電子機器１の動作を制御する回路である。メインＩＣ３は、電源ポート３ａから入力される電圧によって動作して、電子機器１の動作（液晶ディスプレイ、チューナ、表示用ＬＥＤ、リモコン受光部等、電子機器１の各部への電源供給や、電子機器１の各部の動作）を制御する。電源ポート３ａには、例えば、昇圧回路２により昇圧された電圧や、昇圧回路２により昇圧した電圧から生成した電圧等が入力される。
【００４２】
また、メインＩＣ３は、リセットポート３ｂにメインＩＣ３をリセットさせるためのリセット信号が入力されると（リセットポート３ｂの電圧がハイレベルからローレベルになると）、リセットされる（リセット処理を実行する）。また、メインＩＣ３は、リセットポート３ｂにメインＩＣ３をリセット解除させるためのリセット解除信号が入力されると、リセット解除される（リセット解除処理を実行する）。リセットポート３ｂには、リセット回路４から出力された信号が入力される。
【００４３】
リセット回路４は、メインＩＣ３をリセットさせる回路である。リセット回路４は、入力ライン２ａの電圧に基いて、入力ライン２ａから昇圧回路２に入力される電圧が所定値以上であるか否かを検出する。そして、リセット回路４は、昇圧回路２に入力される電圧が所定値以上のときに、リセットライン４ａをハイレベルにし、昇圧回路２に入力される電圧が所定値未満のときに、リセットライン４ａをローレベルにする。
【００４４】
すなわち、リセット回路４は、入力ライン２ａから昇圧回路２に入力される電圧が所定値未満になると、リセットライン４ａからメインＩＣ３をリセットさせるためのリセット信号を出力する。また、リセット回路４は、入力ライン２ａから昇圧回路２に入力される電圧が所定値以上になると、リセットライン４ａからメインＩＣ３をリセット解除させるためのリセット解除信号を出力する。リセットライン４ａは、メインＩＣ３のリセットポート３ｂに接続されており、リセットライン４ａから出力されたリセット信号及びリセット解除信号は、メインＩＣ３のリセットポート３ｂに入力される。
【００４５】
従って、リセット回路４は、入力ライン２ａから昇圧回路２に入力される電圧が所定値未満になると、リセットライン４ａからリセット信号を出力して、メインＩＣ３をリセットさせる。また、リセット回路４は、入力ライン２ａから昇圧回路２に入力される電圧が所定値以上になると、リセットライン４ａからリセット解除信号を出力して、メインＩＣ３をリセット解除させる。
【００４６】
本実施形態の電子機器１によれば、リセット回路４によって、入力ライン２ａから昇圧回路２に入力される電圧が所定値以上であるか否かが検出される。そして、入力ライン２ａから昇圧回路２に入力される電圧が所定値未満になると、リセット回路４によって、メインＩＣ３がリセットされる。また、入力ライン２ａから昇圧回路２に入力される電圧が所定値以上になると、リセット回路４によって、メインＩＣ３がリセット解除される。
【００４７】
すなわち、本実施形態の電子機器１によれば、リセット回路４によって、入力ライン２ａから昇圧回路２に入力される電圧が所定値以上であるか否かが検出されて、メインＩＣ３がリセット及びリセット解除される。
【００４８】
従って、本実施形態の電子機器１によれば、電源供給が瞬間的に断たれたとき、従来の昇圧回路内のコントロールＩＣの減電検出機能を使用せずに、入力ライン２ａから昇圧回路２に入力される電圧が所定値以上であるか否かを検出して、メインＩＣ３をリセット及びリセット解除することができる。これにより、従来の昇圧回路内のコントロールＩＣの減電検出機能を使用しなくて済み、従来の昇圧回路内のコントロールＩＣの減電検出機能が一瞬だけ働く影響による昇圧回路の出力の乱れを生じることがなく、電源供給が瞬間的に断たれたときの動作の安定化を図ることができる。
【００４９】
なお、本実施形態において、他の回路を経由した電圧が入力ライン２ａから昇圧回路２に入力される場合、リセット回路４は、他の回路に入力される電圧に基いて、入力ライン２ａから昇圧回路２に入力される電圧が所定値以上であるか否かを検出するようにしてもよい。
【００５０】
＜第２の実施形態＞
次に、第２の実施形態による電子機器について説明する。図２は、第２の実施形態による電子機器の構成を示す。本実施形態の電子機器１は、上記第１の実施形態の構成と同様に、例えば液晶テレビ等の電子機器であり、昇圧回路２と、メインＩＣ３と、リセット回路４とを備える。また、本実施形態の電子機器１は、ＡＣ入力プラグ５と、ヒューズ６と、ＡＣフィルタ回路７と、整流回路８と、スイッチング電源回路（電源回路）９と、動作電圧生成回路１０とをさらに備える。また、本実施形態の電子機器１は、リセット回路４の構成が上記第１の実施形態と異なっている。
【００５１】
ＡＣ入力プラグ５は、商用ＡＣ電源から交流電圧の供給を受けるために、商用ＡＣ電源に接続される。ＡＣ入力プラグ５が商用ＡＣ電源に接続されることにより、商用ＡＣ電源から電子機器１に交流電圧が供給される。商用ＡＣ電源から電子機器１に供給された交流電圧は、ＡＣライン５ａ、５ｂを経由して、整流回路８に入力される。ヒューズ６は、ＡＣライン５ａ上に設けられており、ＡＣフィルタ回路７は、ＡＣライン５ａ、５ｂ上に設けられている。従って、商用ＡＣ電源から電子機器１に供給された交流電圧は、ＡＣ入力プラグ５からヒューズ６及びＡＣフィルタ回路７を介して整流回路８に入力される。
【００５２】
整流回路８は、ダイオードブリッジ回路であり、ＡＣ入力プラグ５からヒューズ６及びＡＣフィルタ回路７を介して入力された交流電圧（すなわち、商用ＡＣ電源から電子機器１に供給された交流電圧）を直流電圧に整流する。整流回路８により整流された電圧は、昇圧回路２の入力ライン２ａから昇圧回路２に入力される。
【００５３】
昇圧回路２は、上記第１の実施形態と同様の構成であり、上記第１の実施形態と同様の動作を行う。但し、本実施形態では、入力ライン２ａからは、商用ＡＣ電源から供給されて整流回路８により整流された電圧が入力される。従って、本実施形態では、昇圧回路２は、商用ＡＣ電源から供給されて整流回路８により整流された電圧を昇圧して、その昇圧した電圧を出力ライン２ｂから出力する。また、本実施形態では、電源ポート２ｃには、スイッチング電源回路９により生成された（トランス２２の出力端子３２ｃから出力された）電圧が入力される。
【００５４】
スイッチング電源回路９は、昇圧回路２により昇圧された電圧から別の電圧値の電圧を生成する回路である。スイッチング電源回路９は、ＭＯＳＦＥＴ（スイッチング素子）２１と、トランス２２と、擬似共振ＩＣ（擬似共振回路）２３と、起動用抵抗２４と、フィードバック回路２５とを備える。
【００５５】
トランス２２は、１次コイル３１及び複数の２次コイル３２を備える。トランス２２は、入力端子３１ａ、３１ｂから１次コイル３１に（トランス２２に）電圧が入力される状態と入力されない状態とに切換えられることにより、複数の２次コイル３２に誘導起電力を発生し、その誘導起電力による電圧を出力端子３２ａ〜３２ｉから（トランス２２から）出力する。
【００５６】
トランス２２の入力端子３１ａ（１次コイル３１の一端側）は、昇圧回路２の出力ライン２ｂに接続されている。ＭＯＳＦＥＴ２１のドレインは、トランス２２の入力端子３１ｂ（１次コイル３１の他端側）に接続されており、ＭＯＳＦＥＴ２１のソースは、抵抗２６を介してアースに接続されている。従って、ＭＯＳＦＥＴ２１がスイッチングする（オンとオフとに切換わる）と、昇圧回路２により昇圧された電圧（昇圧回路２から出力ライン２ｂに出力された電圧）がトランス２２の１次コイル３１に入力される状態と入力されない状態とに切換わる。これにより、昇圧回路２により昇圧された電圧が１次コイル３１に入力される状態と入力されない状態とに切換わることによる誘導起電力が複数の２次コイル３２に発生し、その誘導起電力による電圧が出力端子３２ａ〜３２ｉから出力される。
【００５７】
すなわち、スイッチング電源回路９は、ＭＯＳＦＥＴ２１がスイッチングすることにより、昇圧回路２により昇圧された電圧がトランス２２に入力される状態と入力されない状態とに切換えられて、トランス２２によって、昇圧回路２により昇圧された電圧から別の電圧値の電圧を生成する。
【００５８】
ＭＯＳＦＥＴ２１のゲートは、擬似共振ＩＣ２３に接続されている。また、ＭＯＳＦＥＴ２１のゲートは、起動用抵抗２４を介して昇圧回路２の入力ライン２ａにも接続されている。ＭＯＳＦＥＴ２１は、ゲート電圧（ゲートに入力される電圧）がハイレベルのときにオン（ドレイン・ソース間が導通状態）になり、ゲート電圧がローレベルのときにオフ（ドレイン・ソース間が非導通状態）になる。
【００５９】
擬似共振ＩＣ２３は、電源ポート２３ａから入力される電圧によって動作して（擬似共振による発振をして）、ＭＯＳＦＥＴ２１のゲート電圧を所定の周波数でハイレベルとローレベルとに切換えることにより、ＭＯＳＦＥＴ２１を所定の周波数でスイッチングする（所定の周波数でオンとオフとに切換える）。電源ポート２３ａには、トランス２２により生成された電圧（トランス２２の出力端子３２ｂから出力された電圧）が入力される。
【００６０】
すなわち、スイッチング電源回路９は、擬似共振ＩＣ２３がトランス２２により生成された電圧（トランス２２の出力端子３２ｂから出力された電圧）によって動作して、ＭＯＳＦＥＴ２１を擬似共振ＩＣ２３によって所定の周波数でスイッチングさせて、トランス２２によって電圧を生成する。
【００６１】
フィードバック回路２５は、トランス２２の出力端子３２ｄ、３２ｅから出力されてダイオード２９により整流された電圧を監視して、トランス２２の出力端子３２ｄ、３２ｅから出力される電圧に応じた電圧をフィードバックライン２５ａに出力する。
【００６２】
擬似共振ＩＣ２３は、フィードバックライン２５ａから入力される電圧に基いて、トランス２２の出力端子３２ｄ、３２ｅから出力される電圧が一定に保たれるように、ＭＯＳＦＥＴ２１のスイッチングのタイミングを調整する。また、擬似共振ＩＣ２３は、フィードバックライン２５ａから入力される電圧がローレベルのとき（０のとき）には、ＭＯＳＦＥＴ２１をオフに維持して（ＭＯＳＦＥＴ２１のゲート電圧をローレベルに維持して）、ＭＯＳＦＥＴ２１のスイッチングを停止する。
【００６３】
すなわち、スイッチング電源回路９は、フィードバックライン２５ａから擬似共振ＩＣ２３に入力される電圧に基いて、擬似共振ＩＣ２３がＭＯＳＦＥＴ２１のスイッチングのタイミングを調整して、トランス２２の出力端子３２ｄ、３２ｅから一定の電圧が出力されるように、電圧を生成する。また、スイッチング電源回路９は、フィードバックライン２５ａから擬似共振ＩＣ２３に入力される電圧がローレベルのときには、擬似共振ＩＣ２３がＭＯＳＦＥＴ２１のスイッチングを停止させて、電圧の生成を停止する。
【００６４】
動作電圧生成回路１０は、スイッチング電源回路９により生成された電圧（トランス２２の出力端子３２ｄ、３２ｅから出力されてダイオード２９により整流された電圧）から、電子機器１を動作させるための動作電圧を生成する回路である。動作電圧生成回路１０は、メインＩＣ３、リセット回路４のリセット信号出力回路４２、及び不図示の負荷（液晶ディスプレイやチューナ、表示用ＬＥＤ、リモコン受光部等）を動作させるための各電圧値の電圧を生成する。
【００６５】
メインＩＣ３は、上記第１の実施形態と同様の構成であり、上記第１の実施形態と同様の動作を行う。但し、本実施形態では、電源ポート３ａには、動作電圧生成回路１０により生成された電圧が入力される。また、リセットポート３ｂには、リセット回路４のリセット信号出力回路４２により出力された信号が入力される。
【００６６】
リセット回路４は、電源停止回路４１と、リセット信号出力回路４２とを有する。電源停止回路４１は、昇圧回路２に入力される電圧が所定値未満になると、スイッチング電源回路９による電圧の生成を停止させる回路である。電源停止回路４１は、ダイオード５１、５２と、コンデンサ５３と、抵抗５４、５５、５６、５７と、シャントレギュレータ５８と、ツェナーダイオード５９と、トランジスタ６０とを有する。
【００６７】
ダイオード５１は、アノードがＡＣライン５ａに接続され、カソードがダイオード５２のカソードに接続されている。ダイオード５２は、アノードがＡＣライン５ｂに接続され、カソードがダイオード５１のカソードに接続されている。コンデンサ５３は、一端側がダイオード５１のカソードとダイオード５２のカソードとの間に接続され、他端側がアースに接続されている。
【００６８】
抵抗５４は、一端側がダイオード５１のカソードとダイオード５２のカソードとの間に接続され、他端側が抵抗５５の一端側に接続されている。抵抗５５は、一端側が抵抗５４の他端側に接続され、他端側がアースに接続されている。抵抗５６は、一端側がスイッチング電源回路９の電圧出力ライン９ａ（トランス２２の出力端子３２ｂから出力された電圧を擬似共振ＩＣ２３の電源ポート２３ａに供給するライン）に接続され、他端側がシャントレギュレータ５８のカソードに接続されている。
【００６９】
シャントレギュレータ５８は、リファレンスが抵抗５４の他端側と抵抗５５の一端側との間に接続され、カソードが抵抗５６の他端側に接続され、アノードがアースに接続されている。シャントレギュレータ５８は、リファレンス電圧（リファレンスに入力される電圧）が基準電圧値以上のときにオン（カソード・アノード間が導通状態）になり、リファレンス電圧が基準電圧値未満のときにオフ（カソード・アノード間が非導通状態）になる。ツェナーダイオード５９は、カソードが抵抗５６の他端側とシャントレギュレータ５８のカソードとの間に接続され、アノードがトランジスタ６０のベースに接続されている。
【００７０】
トランジスタ６０は、ベースがツェナーダイオード５９のアノードに接続され、コレクタがスイッチング電源回路９のフィードバックライン２５ａに接続され、エミッタがアースに接続されている。トランジスタ６０は、ベース電圧（ベースに入力される電圧）がハイレベルのときにオン（コレクタ・エミッタ間が導通状態）になり、ベース電圧がローレベルのときにオフ（コレクタ・エミッタ間が非導通状態）になる。抵抗５７は、一端側がツェナーダイオード５９のアノードとトランジスタ６０のベースとの間に接続され、他端側がアースに接続されている。
【００７１】
このような構成の電源停止回路４１において、ＡＣライン５ａ、５ｂの電圧（商用ＡＣ電源から電子機器１に供給された電圧）は、ダイオード５１、５２により半波整流され、コンデンサ５３により平滑化される。このコンデンサ５３により平滑化された電圧をＡＣ半波電圧と呼ぶ。シャントレギュレータ５８のリファレンスには、ＡＣ半波電圧を抵抗５４と抵抗５５により分圧した電圧が入力される。
【００７２】
ＡＣライン５ａ、５ｂの電圧が所定値以上のとき（入力ライン２ａから昇圧回路２に入力される電圧が所定値以上のとき）には、ＡＣ半波電圧が所定値以上になり、シャントレギュレータ５８のリファレンス電圧が基準電圧値以上になって、シャントレギュレータ５８がオンを維持する。これにより、抵抗５６とシャントレギュレータ５８のカソードとを結ぶラインがシャントレギュレータ５８を介して接地される状態に維持され、トランジスタ６０のベース電圧がローレベルに維持され、トランジスタ６０がオフに維持される。そして、トランジスタ６０がオフに維持されることにより、スイッチング電源回路９のフィードバック回路２５からフィードバックライン２５ａに出力された電圧がそのままフィードバックライン２５ａからスイッチング電源回路９の擬似共振ＩＣ２３に入力される状態に維持される。従って、擬似共振回路２３によってＭＯＳＦＥＴ２１がスイッチングされる状態に維持され、スイッチング電源回路９による電圧の生成が維持される。
【００７３】
ＡＣライン５ａ、５ｂの電圧が所定値未満になると（入力ライン２ａから昇圧回路２に入力される電圧が所定値未満になると）、ＡＣ半波電圧が所定値未満となり、シャントレギュレータ５８のリファレンス電圧が基準電圧値未満になって、シャントレギュレータ５８がオフになる。これにより、スイッチング電源回路９の電圧出力ライン９ａから抵抗５６を経由した電圧がツェナーダイオード５９を介してトランジスタ６０のベースに入力され、トランジスタ６０のベース電圧がハイレベルになって、トランジスタ６０がオンになる。そして、トランジスタ６０がオンになることにより、スイッチング電源回路９のフィードバック回路２５のフィードバックライン２５ａがトランジスタ６０を介して接地される状態になる。すなわち、フィードバックライン２５ａからスイッチング電源回路９の擬似共振ＩＣ２３に入力される電圧は、ローレベルになる。従って、擬似共振ＩＣ２３がＭＯＳＦＥＴ２１のスイッチングを停止させ、スイッチング電源回路９による電圧の生成が停止する。
【００７４】
ＡＣライン５ａ、５ｂの電圧が所定値以上のときには、入力ライン２ａから昇圧回路２に入力される電圧が所定値以上になる。また、ＡＣライン５ａ、５ｂの電圧が所定値未満になると、入力ライン２ａから昇圧回路２に入力される電圧が所定値未満になる。
【００７５】
すなわち、電源停止回路４１は、シャントレギュレータ５８のリファレンス電圧に基いて（ＡＣライン５ａ、５ｂの電圧に基いて）、入力ライン２ａから昇圧回路２に入力される電圧が所定値以上であるか否かを検出する。つまり、電源停止回路４１は、シャントレギュレータ５８のリファレンス電圧が基準電圧値以上である場合（ＡＣライン５ａ、５ｂの電圧が所定値以上である場合）に、入力ライン２ａから昇圧回路２に入力される電圧が所定値以上であると検出する。また、電源停止回路４１は、シャントレギュレータ５８のリファレンス電圧が基準電圧値未満である場合（ＡＣライン５ａ、５ｂの電圧が所定値未満である場合）に、入力ライン２ａから昇圧回路２に入力される電圧が所定値未満であると検出する。そして、電源停止回路４１は、入力ライン２ａから昇圧回路２に入力される電圧が所定値未満になると、スイッチング電源回路９のＭＯＳＦＥＴ２１のスイッチングを停止させることにより、スイッチング電源回路９による電圧の生成を停止させる。また、電源停止回路４１は、入力ライン２ａから昇圧回路２に入力される電圧が所定値以上になると、スイッチング電源回路９のＭＯＳＦＥＴ２１のスイッチングを開始させることにより、スイッチング電源回路９による電圧の生成を開始させる。
【００７６】
リセット信号出力回路４２は、スイッチング電源回路９による電圧の生成が停止すると、メインＩＣ３をリセットさせるためのリセット信号を出力する回路である。リセット信号出力回路４２は、ダイオード６１、ツェナーダイオード６２と、コンデンサ６３と、抵抗６４、６５と、トランジスタ６６とを有する。
【００７７】
ダイオード６１は、カソードがスイッチング電源回路９のトランス２２の出力端子３２ｉに接続され、アノードがツェナーダイオード６２のアノードに接続されている。ツェナーダイオード６２は、アノードがダイオード６１のアノードに接続され、カソードが抵抗６４の一端側に接続されている。コンデンサ６３は、一端側がダイオード６１のアノードとツェナーダイオード６２のアノードとの間に接続され、他端側がグランドに接続されている。抵抗６４は、一端側がツェナーダイオード６２のカソードに接続され、他端側がトランジスタ６６のベースに接続されている。抵抗６５は、一端側が動作電圧生成回路１０に接続され、他端側が抵抗６４の他端側とトランジスタ６６のベースとの間に接続されている。
【００７８】
トランジスタ６６は、ベースが抵抗６４の他端側に接続され、コレクタがリセットライン４ａに接続され、エミッタがグランドに接続されている。また、トランジスタ６６のコレクタは、動作電圧生成回路１０に接続されている。トランジスタ６６は、ベース電圧（ベースに入力される電圧）がハイレベルのときにオン（コレクタ・エミッタ間が導通状態）になり、ベース電圧がローレベルのときにオフ（コレクタ・エミッタ間が非導通状態）になる。
【００７９】
このような構成のリセット信号出力回路４２において、スイッチング電源回路９により電圧の生成が行われているときには、ダイオード６１のアノード側に負の電圧が生成される（電流が抵抗６５、６４、及びツェナーダイオード６２を経由してダイオード６１のアノード側からカソード側に流れる）。これにより、トランジスタ６６のベース電圧がローレベルに維持されて、トランジスタ６６がオフに維持される。そして、トランジスタ６６がオフに維持されることにより、動作電圧生成回路１０からトランジスタ６６のコレクタに出力される電圧がそのままリセットライン４ａから出力される状態に維持される。従って、リセットライン４ａから出力される電圧は、ハイレベルに維持される。
【００８０】
スイッチング電源回路９により電圧の生成が停止すると、ダイオード６１のアノード側に負の電圧が生成されなくなる。これにより、動作電圧生成回路１０から出力されて抵抗６５を経由した電圧によって、トランジスタ６６のベース電圧がハイレベルになり、トランジスタ６６がオンになる。そして、トランジスタ６６がオンになることにより、動作電圧生成回路１０とトランジスタ６６のコレクタとを結ぶラインがトランジスタ６６を介して接地される状態になる。従って、リセットライン４ａから出力される電圧は、ローレベルになる。
【００８１】
すなわち、リセット信号出力回路４２は、ダイオード６１のアノード側の電圧に基いて、スイッチング電源回路９により電圧の生成が行われているか否かを検出する。そして、リセット信号出力回路４２は、スイッチング電源回路９による電圧の生成が行われているときには、リセットライン４ａをハイレベルにし、スイッチング電源回路９による電圧の生成が停止しているときには、リセットライン４ａをローレベルにする。
【００８２】
つまり、リセット信号出力回路４２は、スイッチング電源回路９による電圧の生成が停止すると、リセットライン４ａからメインＩＣ３をリセットさせるためのリセット信号を出力する。また、リセット信号出力回路４２は、スイッチング電源回路９による電圧の生成が開始すると、リセットライン４ａからメインＩＣ３をリセット解除させるためのリセット解除信号を出力する。リセットライン４ａは、メインＩＣ３のリセットポート３ｂに接続されており、リセットライン４ａから出力されたリセット信号及びリセット解除信号は、メインＩＣ３のリセットポート３ｂに入力される。
【００８３】
従って、リセット回路４は、入力ライン２ａから昇圧回路２に入力される電圧が所定値未満になると、電源停止回路４１によって、スイッチング電源回路９のＭＯＳＦＥＴ２１のスイッチングを停止させて、スイッチング電源回路９による電圧の生成を停止させることにより、リセット信号出力回路４２からリセット信号を出力させて、メインＩＣ３をリセットさせる。また、リセット回路４は、入力ライン２ａから昇圧回路２に入力される電圧が所定値以上になると、電源停止回路４１によって、スイッチング電源回路９のＭＯＳＦＥＴ２１のスイッチングを開始させて、スイッチング電源回路９による電圧の生成を開始させることにより、リセット信号出力回路４２からリセット解除信号を出力させて、メインＩＣ３をリセット解除させる。
【００８４】
本実施形態の電子機器１によれば、電源停止回路４１によって、入力ライン２ａから昇圧回路２に入力される電圧が所定値以上であるか否かが検出される。そして、入力ライン２ａから昇圧回路２に入力される電圧が所定値未満になると、電源停止回路４１によって、スイッチング電源回路９による電圧の生成が停止され、これにより、リセット信号出力回路４２からリセット信号が出力されて、メインＩＣ３がリセットされる。また、入力ライン２ａから昇圧回路２に入力される電圧が所定値以上になると、電源停止回路４１によって、スイッチング電源回路９による電圧の生成が開始され、これにより、リセット信号出力回路４２からリセット解除信号が出力されて、メインＩＣ３がリセット解除される。
【００８５】
すなわち、本実施形態の電子機器１によれば、電源停止回路４１によって（リセット回路４によって）、入力ライン２ａから昇圧回路２に入力される電圧が所定値以上であるか否かが検出されて、メインＩＣ３がリセット及びリセット解除される。
【００８６】
従って、本実施形態の電子機器１によれば、商用ＡＣ電源からの電源供給が瞬間的に断たれとき、従来の昇圧回路内のコントロールＩＣの減電検出機能を使用せずに、入力ライン２ａから昇圧回路２に入力される電圧が所定値以上であるか否かを検出して、メインＩＣ３をリセット及びリセット解除することができる。これにより、従来の昇圧回路内のコントロールＩＣの減電検出機能を使用しなくて済み、従来の昇圧回路内のコントロールＩＣの減電検出機能が一瞬だけ働く影響による昇圧回路の出力の乱れを生じることがなく、商用ＡＣ電源からの電源供給が瞬間的に断たれたときの動作の安定化を図ることができる。
【００８７】
また、本実施形態の電子機器１によれば、電源停止回路４１は、ＡＣライン５ａ、５ｂの電圧に基いて、昇圧回路２に入力される電圧が所定値以上であるか否かを検出するため、昇圧回路２の動作に伴う電圧変動の影響を受け難く、昇圧回路２に入力される電圧が所定値以上であるか否かを精度良く検出することができる。
【００８８】
なお、本実施形態において、電源停止回路４１のトランジスタ６０のコレクタを、スイッチング電源回路９のフィードバックライン２５ａに代えて、ＭＯＳＦＥＴ２１のゲートに接続してもよい。また、電源停止回路４１は、ＡＣライン５ａ、５ｂの電圧に代えて、昇圧回路２の入力ライン２ａの電圧に基いて、入力ライン２ａから昇圧回路２に入力される電圧が所定値以上であるか否かを検出するようにしてもよい。すなわち、電源停止回路４１のダイオード５１をなくし、電源停止回路４１のダイオード５２のアノードを、ＡＣライン５ｂに代えて、昇圧回路２の入力ライン２ａに接続してもよい。
【００８９】
＜第３の実施形態＞
次に、第３の実施形態による電子機器について説明する。図３は、第３の実施形態による電子機器の構成を示す。本実施形態の電子機器１は、スイッチング電源回路９及びリセット回路４の構成が上記第２の実施形態と異なっている。本実施形態における他の構成については、上記第２の実施形態と同様である。
【００９０】
本実施形態のスイッチング電源回路９は、上記第２の実施形態における擬似共振ＩＣ２３に代えて、自励発振回路２７を備えている。本実施形態のスイッチング電源回路９の他の構成は、上記第２の実施形態と同様である。
【００９１】
自励発振回路２７は、抵抗２７ａ、２７ｂと、コンデンサ２７ｃと、トランジスタ２７ｄとを備える。自励発振回路２７は、トランス２２から入力される電圧（トランス２２の出力端子３２ｂから出力された電圧）によって動作して（自励発振して）、ＭＯＳＦＥＴ２１のゲート電圧を所定の周波数でハイレベルとローレベルとに切換えることにより、ＭＯＳＦＥＴ２１を所定の周波数でスイッチングする（所定の周波数でオンとオフとに切換える）。
【００９２】
すなわち、スイッチング電源回路９は、自励発振回路２７がトランス２２から入力される電圧（トランス２２の出力端子３２ｂから出力された電圧）によって動作して、ＭＯＳＦＥＴ２１を自励発振回路２７によって所定の周波数でスイッチングさせて、トランス２２によって電圧を生成する。
【００９３】
自励発振回路２７は、フィードバックライン２５ａから入力される電圧に基いて、トランス２２の出力端子３２ｄ、３２ｅから出力される電圧が一定に保たれるように、ＭＯＳＦＥＴ２１のスイッチングのタイミングを調整する。
【００９４】
すなわち、スイッチング電源回路９は、フィードバックライン２５ａから自励発振回路２７に入力される電圧に基いて、自励発振回路２７がＭＯＳＦＥＴ２１のスイッチングのタイミングを調整して、トランス２２の出力端子３２ｄ、３２ｅから一定の電圧が出力されるように、電圧を生成する。
【００９５】
本実施形態のリセット回路４は、電源停止回路４１の構成が上記第２の実施形態と異なっている。リセット信号出力回路４２の構成は、上記第２の実施形態と同様である。
【００９６】
本実施形態の電源停止回路４１は、抵抗５６の一端側が上記第２の実施形態と異なりスイッチング電源回路９の電圧出力ライン９ｂ（トランス２２の出力端子３２ｃから出力された電圧を昇圧回路２の電源ポート２ｃに供給するライン）に接続されている。また、本実施形態の電源停止回路４１は、トランジスタ６０のコレクタが上記第２の実施形態と異なりスイッチング電源回路９のＭＯＳＦＥＴ２１のゲートに接続されている。本実施形態の電源停止回路４１の他の構成は、上記第２の実施形態と同様である。
【００９７】
このような構成の電源停止回路４１において、ＡＣライン５ａ、５ｂの電圧が所定値以上のとき（入力ライン２ａから昇圧回路２に入力される電圧が所定値以上のとき）には、上記第２の実施形態と同様に、トランジスタ６０がオフに維持される。そして、トランジスタ６０がオフに維持されることにより、自励発振回路２７によってＭＯＳＦＥＴ２１がスイッチングされる状態に維持され、スイッチング電源回路９による電圧の生成が維持される。
【００９８】
ＡＣライン５ａ、５ｂの電圧が所定値未満になると（入力ライン２ａから昇圧回路２に入力される電圧が所定値未満になると）、上記第２の実施形態と同様に、トランジスタ６０がオンになる。そして、トランジスタ６０がオンになることにより、ＭＯＳＦＥＴ２１のゲートがトランジスタ６０を介してアースに接続される状態になる。すなわち、ＭＯＳＦＥＴ２１のゲート電圧は、自励発振回路２７の動作に関わらず、ローレベルになる。従って、ＭＯＳＦＥＴ２１のスイッチングが停止して、スイッチング電源回路９による電圧の生成が停止する。
【００９９】
すなわち、電源停止回路４１は、上記第２の実施形態と同様に、シャントレギュレータ５８のリファレンス電圧に基いて（ＡＣライン５ａ、５ｂの電圧に基いて）、入力ライン２ａから昇圧回路２に入力される電圧が所定値以上であるか否かを検出する。そして、電源停止回路４１は、上記第２の実施形態と同様に、入力ライン２ａから昇圧回路２に入力される電圧が所定値未満になると、スイッチング電源回路９のＭＯＳＦＥＴ２１のスイッチングを停止させることにより、スイッチング電源回路９による電圧の生成を停止させる。また、電源停止回路４１は、上記第２の実施形態と同様に、入力ライン２ａから昇圧回路２に入力される電圧が所定値以上になると、スイッチング電源回路９のＭＯＳＦＥＴ２１のスイッチングを開始させることにより、スイッチング電源回路９による電圧の生成を開始させる。
【０１００】
本実施形態の電子機器１によれば、上記第２の実施形態と同様に、電源停止回路４１によって（リセット回路４によって）、入力ライン２ａから昇圧回路２に入力される電圧が所定値以上であるか否かが検出されて、メインＩＣ３がリセット及びリセット解除される。
【０１０１】
従って、本実施形態の電子機器１によれば、上記第２の実施形態と同様に、従来の昇圧回路内のコントロールＩＣの減電検出機能を使用しなくて済み、商用ＡＣ電源からの電源供給が瞬間的に断たれたときの動作の安定化を図ることができる。
【０１０２】
なお、本実施形態において、電源停止回路４１は、ＡＣライン５ａ、５ｂの電圧に代えて、昇圧回路２の入力ライン２ａの電圧に基いて、入力ライン２ａから昇圧回路２に入力される電圧が所定値以上であるか否かを検出するようにしてもよい。すなわち、電源停止回路４１のダイオード５１をなくし、電源停止回路４１のダイオード５２のアノードを、ＡＣライン５ｂに代えて、昇圧回路２の入力ライン２ａに接続してもよい。
【０１０３】
＜第４の実施形態＞
次に、第４の実施形態による電子機器について説明する。図４は、第４の実施形態による電子機器の構成を示す。本実施形態の電子機器１は、リセット回路４の構成が上記第２の実施形態と異なっている。本実施形態における他の構成については、上記第２の実施形態と同様である。
【０１０４】
本実施形態のリセット回路４は、上記第２の実施形態における電源停止回路４１を備えていない。また、本実施形態のリセット回路４は、リセット信号出力回路４２の構成が上記第２の実施形態と異なっている。
【０１０５】
本実施形態のリセット信号出力回路４２は、入力ライン２ａから昇圧回路２に入力される電圧が所定値未満になると、メインＩＣ３をリセットさせるためのリセット信号を出力する回路である。本実施形態のリセット信号出力回路４２は、ツェナーダイオード７１、７２、７３と、トランジスタ７４と、フォトカプラ７５と、抵抗７６とを有する。
【０１０６】
ツェナーダイオード７１は、カソードが昇圧回路２の入力ライン２ａに接続され、アノードがツェナーダイオード７２のカソードに接続されている。ツェナーダイオード７２は、カソードがツェナーダイオード７１のアノードに接続され、アノードがツェナーダイオード７３のカソードに接続されている。ツェナーダイオード７３は、カソードがツェナーダイオード７２のアノードに接続され、アノードがトランジスタ７４のベースに接続されている。
【０１０７】
トランジスタ７４は、ベースがツェナーダイオード７３のアノードに接続され、コレクタがフォトカプラ７５の発光ダイオード７５ａのアノードに接続され、エミッタがアースに接続されている。トランジスタ７４は、ベース電圧（ベースに入力される電圧）がハイレベルのときにオン（コレクタ・エミッタ間が導通状態）になり、ベース電圧がローレベルのときにオフ（コレクタ・エミッタ間が非導通状態）になる。
【０１０８】
フォトカプラ７５は、発光ダイオード７５ａのアノードがトランジスタ７４のコレクタに接続され、発光ダイオード７５ａのカソードがアースに接続され、フォトトランジスタ７５ｂのコレクタがリセットライン４ａに接続され、フォトトランジスタ７５ｂのエミッタがグランドに接続されている。また、フォトトランジスタ７５ｂのコレクタは、動作電圧生成回路１０に接続されている。
【０１０９】
抵抗７６は、一端側がスイッチング電源回路９の電圧出力ライン９ａ（トランス２２の出力端子３２ｂから出力された電圧を擬似共振ＩＣ２３の電源ポート２３ａに供給するライン）に接続され、他端側がトランジスタ７４のコレクタとフォトカプラ７５の発光ダイオード７５ａのアノードとの間に接続されている。
【０１１０】
このような構成のリセット信号出力回路４２において、入力ライン２ａから昇圧回路２に入力される電圧が所定値以上のときには、ツェナーダイオード７１〜７３が導通し、入力ライン２ａからツェナーダイオード７１〜７３を経由した電圧によって、トランジスタ７４のベース電圧がハイレベルに維持され、トランジスタ７４がオンに維持される。これによりが抵抗７６とトランジスタ７４とを結ぶラインがトランジスタ７４を介して接地される状態に維持され、フォトカプラ７５がオフ（発光ダイオード７５ａが発光せず、フォトトランジスタ７５ｂのコレクタ・エミッタ間が非導通状態）に維持される。そして、フォトカプラ７５がオフに維持されることにより、動作電圧生成回路１０からフォトカプラ７５のフォトトランジスタ７５ｂのコレクタに出力される電圧がそのままリセットライン４ａから出力される状態に維持される。従って、リセットライン４ａから出力される電圧は、ハイレベルに維持される。
【０１１１】
入力ライン２ａから昇圧回路２に入力される電圧が所定値未満になると、ツェナーダイオード７１〜７３が導通しなくなり、トランジスタ７４のベース電圧がローレベルになり、トランジスタ７４がオフになる。これにより、スイッチング電源回路９の電圧出力ライン９ａから抵抗７６を経由した電圧がフォトカプラ７５の発光ダイオード７５ａに入力され、フォトカプラ７５がオン（発光ダイオード７５ａが発光して、フォトトランジスタ７５ｂのコレクタ・エミッタ間が導通状態）になる。そして、フォトカプラ７５がオンになることにより、動作電圧生成回路１０とフォトカプラ７５のフォトトランジスタ７５ｂのコレクタとを結ぶラインがフォトトランジスタ７５ｂを介して接地される状態になる。従って、リセットライン４ａから出力される電圧は、ローレベルになる。
【０１１２】
すなわち、リセット信号出力回路４２は、入力ライン２ａの電圧に基いて、入力ライン２ａから昇圧回路２に入力される電圧が所定値以上であるか否かを検出する。つまり、リセット信号出力回路４２は、ツェナーダイオード７１のカソードに入力される電圧がツェナーダイオード７１、７２、７３を導通させる電圧値以上である場合に、入力ライン２ａから昇圧回路２に入力される電圧が所定値以上であると検出する。また、リセット信号出力回路４２は、ツェナーダイオード７１のカソードに入力される電圧がツェナーダイオード７１、７２、７３を導通させる電圧値未満である場合に、入力ライン２ａから昇圧回路２に入力される電圧が所定値未満であると検出する。そして、リセット信号出力回路４２は、入力ライン２ａから昇圧回路２に入力される電圧が所定値以上のときに、リセットライン４ａをハイレベルにし、入力ライン２ａから昇圧回路２に入力される電圧が所定値未満のときに、リセットライン４ａをローレベルにする。
【０１１３】
つまり、リセット信号出力回路４２は、入力ライン２ａから昇圧回路２に入力される電圧が所定値未満になると、リセットライン４ａからメインＩＣ３をリセットさせるためのリセット信号を出力する。また、リセット信号出力回路４２は、入力ライン２ａから昇圧回路２に入力される電圧が所定値以上になると、リセットライン４ａからメインＩＣ３をリセット解除させるためのリセット解除信号を出力する。また、リセット信号出力回路４２は、これらリセット信号及びリセット解除信号をフォトカプラ７５を用いて出力する。リセットライン４ａは、メインＩＣ３のリセットポート３ｂに接続されており、リセットライン４ａから出力されたリセット信号及びリセット解除信号は、メインＩＣ３のリセットポート３ｂに入力される。
【０１１４】
従って、リセット回路４は、入力ライン２ａから昇圧回路２に入力される電圧が所定値未満になると、上記第２及び第３の実施形態と異なり、スイッチング電源回路９による電圧の生成を停止させる動作を経由することなく、リセット信号出力回路４２からリセット信号を出力させて、メインＩＣ３をリセットさせる。また、リセット回路４は、入力ライン２ａから昇圧回路２に入力される電圧が所定値以上になると、スイッチング電源回路９による電圧の生成とは関係なく、リセット信号出力回路４２からリセット解除信号を出力させて、メインＩＣ３をリセット解除させる。
【０１１５】
本実施形態の電子機器１によれば、リセット信号出力回路４２によって、入力ライン２ａから昇圧回路２に入力される電圧が所定値以上であるか否かが検出される。そして、入力ライン２ａから昇圧回路２に入力される電圧が所定値未満になると、リセット信号出力回路４２からリセット信号が出力されて、メインＩＣ３がリセットされる。また、入力ライン２ａから昇圧回路２に入力される電圧が所定値以上になると、リセット信号出力回路４２からリセット解除信号が出力されて、メインＩＣ３がリセット解除される。
【０１１６】
すなわち、本実施形態の電子機器１によれば、リセット信号出力回路４２によって（リセット回路４によって）、入力ライン２ａから昇圧回路２に入力される電圧が所定値以上であるか否かが検出されて、メインＩＣ３がリセット及びリセット解除される。
【０１１７】
従って、本実施形態の電子機器１によれば、上記第２の実施形態と同様に、商用ＡＣ電源からの電源供給が瞬間的に断たれたとき、従来の昇圧回路内のコントロールＩＣの減電検出機能を使用せずに、入力ライン２ａから昇圧回路２に入力される電圧が所定値以上であるか否かを検出して、メインＩＣ３をリセット及びリセット解除することができる。これにより、上記第２の実施形態と同様に、従来の昇圧回路内のコントロールＩＣの減電検出機能を使用しなくて済み、商用ＡＣ電源からの電源供給が瞬間的に断たれたときの動作の安定化を図ることができる。
【０１１８】
なお、本実施形態において、リセット信号出力回路４２は、昇圧回路２の入力ライン２ａの電圧に代えて、ＡＣライン５ａ、５ｂの電圧に基いて、入力ライン２ａから昇圧回路２に入力される電圧が所定値以上であるか否かを検出するようにしてもよい。すなわち、リセット信号出力回路４２のツェナーダイオード７１のカソードを、整流回路及び平滑回路を介して、ＡＣライン５ａ、５ｂに接続してもよい。このようにすれば、昇圧回路２の動作に伴う電圧変動の影響を受け難く、入力ライン２ａから昇圧回路２に入力される電圧が所定値以上であるか否かの検出精度が良くなる。また、本実施形態において、スイッチング電源回路９は、擬似共振回路２３に代えて、自励発振回路によりＭＯＳＦＥＴ２１をスイッチングさせるようにしてもよい。
【符号の説明】
【０１１９】
１    電子機器
２    昇圧回路
２ａ    入力ライン
２ｂ    出力ライン
２ｃ    電源ポート
３    メインＩＣ（制御回路）
３ａ    電源ポート
３ｂ    リセットポート
４    リセット回路
４ａ    リセットライン
５    ＡＣ入力プラグ
６    ヒューズ
７    ＡＣフィルタ回路
８    整流回路
９    スイッチング電源回路（電源回路）
１０    動作電圧生成回路
２１    ＭＯＳＦＥＴ（スイッチング素子）
２２    トランス
２３    擬似共振ＩＣ（擬似共振回路）
２４    起動用抵抗
２５    フィードバック回路
２５ａ    フィードバックライン
４１    電源停止回路
４２    リセット信号出力回路
５８    シャントレギュレータ
６０    トランジスタ
７１、７２、７３    ツェナーダイオード
７４    トランジスタ
７５    フォトカプラ
【図１】
2014155240.tif 000003
【図２】
2014155240.tif 000004
【図３】
2014155240.tif 000005
【図４】
2014155240.tif 000006
【図５】
2014155240.tif 000007